(57)【特許請求の範囲】
【請求項１】
建物の側壁を貫通し、側壁の内側から外側に水を排出する排水管であって、
側壁の外側に水を放出する放出口が形成された金属製の管本体と、
金属製の枠体に金網を取り付けてなり、管本体の放出口を覆うように取り付けられる外側網部材とを備え、
外側網部材の枠体は、管本体の放出口の外周端縁に対して全周に亘って隙間なく固着されるとともに、当該外周端縁の外方に、全周に亘って延出する環状の鍔部を備えるものであって、
前記管本体は、断面略正方形状の角パイプであり、
枠体の開口部の内周縁は、放出口の内周縁と略一致する辺縁部と、放出口の四隅から夫々内方に延出して、放出口の四隅を閉塞する内方延出部とによって構成されており、
枠体の開口部は、内方延出部が延出している分だけ、下部の開口幅が、中央部の開口幅よりも幅狭となっていることを特徴とする排水管。
【請求項２】
前記金網は、放出口よりも小さい正方形状をなし、その四隅を枠体の内方延出部に固着されており、
枠体の各辺縁部と前記金網の外縁の間には、スリット状の隙間が形成されていることを特徴とする請求項１に記載の排水管。
【請求項３】
外側網部材の枠体は、開口部が形成された扁平な金属板であり、その板面を放出口の外周端縁に、全周に亘って溶接されていることを特徴とする請求項１又は請求項２に記載の排水管。
【発明の詳細な説明】
【技術分野】
【０００１】
本発明は、建物の側壁を貫通し、屋上やバルコニーなどに溜まった水を壁外に放出する排水管に関する。
【背景技術】
【０００２】
建物の屋上やバルコニーには、側壁を貫通し、屋上やバルコニーなどに溜まった水を壁外に導いて放出する排水管が設けられている。
【０００３】
こうした排水管にあって、放出口から放出される水が、放出口の縁から排水管の外側面に回り込み、排水管の下底面を伝って建物の側壁の外壁面に達し、外壁面を変色・劣化させるといった問題が生じている。そして、かかる問題を低減するために、放出口の下縁に先細舌片状の注ぎ口を設ける構成が提案されている（例えば、特許文献１）。
【０００４】
また、こうした排水管では、排水管内部に鳥が営巣しないように、放出口に金網を被せることが提案されている（例えば、特許文献２）。また、放出口を金網で覆った排水管では、排水管の底部に水やゴミが残留しないように、金網を切り欠いて、放出口の下縁に、金網で覆われていない水抜き用の開口を形成している。
【先行技術文献】
【特許文献】
【０００５】
【特許文献１】特開２００４−２８５６３４号公報
【特許文献２】意匠登録第１２６７１２１号公報
【発明の概要】
【発明が解決しようとする課題】
【０００６】
ところで、上記特許文献１に記載の排水管では、放出口下縁に設けられた注ぎ口によって水が放出口の下縁から排水管の下底面に回り込むのを防止できるものの、排水管を流れる水量が多くなると、放出口の両側縁から排水管の外側面に水が回り込み、そこから建物の外壁面に水が伝わってしまうことがある。
【０００７】
本発明は、かかる現状に鑑みてなされたものであり、従来構成に比べて、排水管から放出される水が建物の外壁面に伝わり難い排水管の提供を目的とする。
【課題を解決するための手段】
【０００８】
本発明は、建物の側壁を貫通し、側壁の内側から外側に水を排出する排水管であって、側壁の外側に水を放出する放出口が形成された金属製の管本体と、金属製の枠体に金網を取り付けてなり、管本体の放出口を覆うように取り付けられる外側網部材とを備え、外側網部材の枠体は、管本体の放出口の外周端縁に対して全周に亘って隙間なく固着されるとともに、当該外周端縁の外方に、全周に亘って延出する環状の鍔部を備えることを特徴とする排水管である。
【０００９】
かかる排水管にあっては、放出口から放出される水は、外側網部材の枠体の開口部を通って壁外に放出されることとなる。ここで、放出口の周囲には、枠体の鍔部が全周に亘って外方に延出しているため、開口部を介して放出口から放出される水は、放出口の下縁だけでなく、放出口の両側縁においても、排水管の外側面に水が回り込むのを防止できる。また、本発明にあっては、鍔部は放出口の全周にわたって形成されるため、外側網部材を、上下左右の区別なく管本体に取り付けたり、排水管を上下左右の区別なく施工した場合でも、放出口の水が管本体の外側に回り込むのを適切に防止できる。
【００１０】
本発明にあって、管本体は、断面円形の丸パイプで構成することもできるし、断面正方形状の角パイプで構成することもできる。管本体が断面正方形状の角パイプである場合には、前記外側網部材の枠体を、管本体の放出口よりも大きい正方形板状とすれば、外側網部材で放出口を覆った状態で、枠体の、放出口の外側にはみ出る部分によって前記鍔部を構成することができる。
【００１１】
また、管本体が角パイプである場合には、枠体の開口部の内周縁は、放出口の内周縁と略一致する辺縁部と、放出口の四隅から夫々内方に延出して、放出口の四隅を閉塞する内方延出部とによって構成されており、枠体の開口部は、内方延出部が延出している分だけ、下部の開口幅が、中央部の開口幅よりも幅狭となっていることが提案される。
【００１２】
かかる構成にあっては、排水管を流れる水が少量である時は、排水管から放出される水が、枠体下部の幅狭部分のみを通って流出する。この時、枠体下部の開口幅が、管本体の流路幅に比べて幅狭となっている分だけ、排水管の出口部分で水圧が高くなり、水が排水管から勢い良く放出されることとなる。一般的に、排水管から放出される水は、放出時の勢いが弱いほど排水管の外側に回り込みやすいが、本構成によれば、水の流量が少ない時でも、排水管から水が比較的勢い良く流れ出るため、放出される水が排水管の外側に回り込み難くなる。一方で、本構成では、排水管を流れる水が多量となった場合は、排水管内の水位が高くなって、開口幅の広い枠体中央部分からも水が排出されるため、枠体下部の開口幅が狭くても水の排出が滞ることがない。
【００１３】
また、本発明にあって、前記金網は、放出口よりも小さい正方形状をなし、その四隅を枠体の内方延出部に固着されており、枠体の各辺縁部と前記金網の外縁の間には、スリット状の隙間が形成されている構成が提案される。
【００１４】
かかる構成にあっては、枠体の辺縁部と金網の間の隙間を水抜き用の開口として機能させることができるから、正方形状の金網を切り欠くことなく、水抜き用の開口を形成でき、金網を加工する手間を削減できる。
【００１５】
また、本発明にあって、外側網部材の枠体は、開口部が形成された扁平な金属板であり、その板面を放出口の外周端縁に、全周に亘って溶接されている構成が提案される。
【００１６】
本発明では、管本体と外側網部材の境界からの漏水を確実に防ぐ必要があるが、かかる構成によれば、外側網部材の枠体と管本体の境界からの水漏れを長期に亘って確実に防ぐことができる。また、外側網部材を極めて簡単な構成によって実現することが可能となる。
【発明の効果】
【００１７】
以上に述べたように、本発明によれば、従来構成に比べて、排水管から放出する水が、建物の外壁面に伝わり難くなるから、排水の付着を原因とする外壁面の汚れや劣化を好適に防止することができる。
【図面の簡単な説明】
【００１８】
【図１】排水管１の斜視図である。
【図２】排水管１の分解斜視図である。
【図３】排水管１の施工状態を示す断面図である。
【図４】排水管１の拡大斜視図である。
【図５】外側網部材７の左側を切断して示す排水管１の正面図である。
【図６】下側を切断して示す排水管１の側面図である。
【発明を実施するための形態】
【００１９】
本発明の実施形態を、以下の実施例に従って説明する。
【００２０】
本実施例の排水管１は、図１，２に示すように、断面正方形状の金属製角パイプからなる管本体２を主体とする。管本体２の開口４，５のうち、図中の奥側の開口４が、側壁の内側に開口する流入口であり、図中の手前側の開口５が側壁の外側に開口する放出口である。また、管本体２には、対向する二つの外側面に、側壁に埋め込むＬ字状のアンカー３が溶接される。
【００２１】
管本体２の流入口４は内側網部材６によって覆われ、放出口５は外側網部材７によって覆われている。内側網部材６及び外側網部材７は、正方形板状の枠体８，９の開口部１２，１３に、金網１０，１１を溶接してなるものであり、枠体８，９を管本体２の端縁に溶接することによって、管本体２に固着されている。
【００２２】
本実施例の排水管１は、図３に示すように、建物のバルコニーＡの側壁Ｂ（手摺壁）の下部に水平に埋設され、その放出口５を、タイルＣが貼られた側壁Ｂの外壁面から突出させるとともに、その流入口４を側壁Ｂの内壁面から突出させている。この排水管１は、集中豪雨やトラブルなどで、建物内部の排水システムがバルコニー内の水を排水しきれなくなった時に、一時的にバルコニー内から壁外に排水するためのものである。具体的には、バルコニー内の水位が排水管１の高さを超えると、バルコニー内の水が流入口４から流入し、放出口５から側壁Ｂの外側に放出される。なお、本実施例の排水管１は、上下左右の区別なしに、すなわち、管本体２のいずれの面を下に向けた状態でも施工可能となっている。
【００２３】
以下に、本発明の要部に係る外側網部材７の構成について説明する。なお、以下では、放出口５が開口する側を、排水管１の正面として説明する。
【００２４】
放出口５を覆う外側網部材７は、上述のように、枠体９の開口部１３に金網１１を取り付けてなるものである。図４〜６に示すように、外側網部材７の枠体９は、正方形状の金属板の中央に開口部１３を形成してなるものであり、９０度回転対称形状をなしている。外側網部材７は、枠体９の裏面を放出口５の外周端縁１５に、全周に亘って隙間なく溶接することによって、管本体２に固着されており、これにより、排水管１から放出される水が、放出口５から枠体９の開口部１３を通って放出されるよう構成されている。ここで、外側網部材７の枠体９は、放出口５の外周端縁１５の外側に全周に亘って延出する環状の鍔部１６を備えている。具体的には、枠体９は、管本体２の断面よりも一回り大きい正方形状をなしており、外側網部材７が放出口５に溶接された状態で、枠体９の外周部が放出口５の外周端縁１５の外側に全周に亘ってはみ出しており、このはみ出した部分が鍔部１６を形成している。
【００２５】
枠体９の開口部１３の内周縁は、図４，５に示すように、放出口５の内周縁と略一致する辺縁部１８と、放出口５の四隅よりも内方に延出するＭ字状の内方延出部１７とによって構成されており、開口部１３の大きさは、内方延出部１７が、放出口５の四隅を閉塞している分だけ、放出口５よりも小さくなっている。そして、かかる形状により、開口部１３の開口幅は、中央部では放出口５の開口幅と等しいのに対し、開口部１３の上部又は下部では、放出口５の開口幅が中央部よりも幅狭となり、開口部１３の下縁部分の開口幅は、放出口５の半分程度となっている。
【００２６】
外側網部材７の金網１１は、図４〜６に示すように、正方形状をなしており、その四隅を、枠体９の内方延出部１７の裏面側に溶接されることにより枠体９に取り付けられている。ここで、金網１１は、放出口５よりも一回り小さくなっており、金網１１の外縁は、放出口５の内側に配置され、金網１１と枠体９の各辺縁部１８との間には、金網１１で覆われないスリット状の隙間２０が夫々形成されている。そして、これらの隙間２０のうち、金網１１と放出口５の下縁との間に形成される隙間２０が、管本体２の内底部に残留する水やゴミを排出する水抜き用の開口として機能することとなる。
【００２７】
以上の構成によれば、排水管１から放出される水は、外側網部材７の枠体９の開口部１３を通って放出されることとなるが、枠体９の外周部の鍔部１６は、放出口５の下縁よりも下方に延出しているため、開口部１３から放出される水が、鍔部１６の下縁を回り込んで管本体２の下底面に回り込み難く、さらに、本構成では、鍔部１６は、放出口５の外周端縁１５の外側に、全周に亘って延出しているため、開口部１３から放出される水が、鍔部１６の両側縁を回り込んで管本体２の外側面に回り込むのも好適に防止することができる。このように、本実施例の排水管１では、放出口５の下側だけでなく、放出口５の両側を介した水の回り込みを防止できるため、従来構成に比べて、排水管１からの排水が側壁Ｂに付着するのを軽減することができる。
【００２８】
また、本実施例では、鳥の営巣を防止するための外側網部材７の枠体９に、排水の回り込みを防止する鍔部１６を形成することで、部品点数を削減し、製造コストを低減できるという利点がある。特に、本実施例では、枠体９は、管本体２の放出口５に固着される扁平な金属板であり、鍔部１６は、枠体９の、放出口５の外側にはみ出す外周部によって形成されるため、鍔部１６を極めて簡単な構成により実現できるという利点がある。また、本実施例にあって、枠体９は、放出口５の外周端縁１５に全周に亘って溶接されているから、枠体９と放出口５の接合面からの漏水を長期間にわたって確実に防止できるという利点がある。また、鍔部１６は、上下左右の区別なく、放出口５の全周に亘って形成されているため、上下左右を区別せずに施工する排水管１に好適に用いることができ、また、枠体９を管本体２に溶接する際に、上下左右を確認する手間も不要となる。
【００２９】
また、本実施例では、枠体９の開口部１３の開口幅が、中央部では放出口５と等幅であるのに対し、その下部では放出口５の半分程度となっているため、排水管１を流れる水の水量が少ない時に、水の流れ出る勢いを増大させることができる。すなわち、排水管１を流れる水の水位が低い時は、排水管１から放出される水が、開口部１３の下部の幅狭部分のみを通って流出することとなるが、管本体２の流路幅に比べて、水が流れ出る開口部１３が幅狭であるため、開口部１３の手前部分で水圧が高くなり、その分だけ、排水管１から勢い良く水が放出されるのである。排水管１から放出される水は、放出時の勢いが弱いほど管本体２の外側に回り込みやすいが、本構成によれば、水の流量が少ない時に、放出する水の勢いを増大させることができるため、放出される水が管本体２の外側に回り込み難くなる。また、本構成では、排水管１を流れる水の水量が多くなった場合は、排水管１内の水位が高くなって、開口幅の広い枠体９の中央部分からも水が排出される。したがって、枠体９の下部の開口幅が狭いことにより、排水が滞るといった不具合は生じない。また、本実施例では、枠体９の開口部１３が９０度回転対称形状をなしているため、排水管１を上下左右の区別なく施工した場合でも、開口部１３の下部の開口幅を、中央部に比べて幅狭とすることができる。
【００３０】
また、本実施例にあっては、枠体９と金網１１の下縁の間に形成される隙間２０を水抜き用の開口として利用できる。この隙間２０は、正方形状の金網１１を切り欠くことなく形成できるため、加工の手間が少ないという利点がある。また、かかる隙間２０は、金網１１の四辺に夫々形成されるため、排水管１を上下左右の区別なく施工しても、いずれかの隙間２０を水抜き用の開口として利用できる。
【００３１】
また、上記特許文献２では、金網を管本体の内側に直接溶接する構成であるため、細く、目の細かい金網は取り付け難く、太く、目の粗い金網が用いられているが、本実施例の構成では、金網１１を枠体９の裏面に溶接しているため、管本体２の放出口５を、細く、目の細かい金網１１で適切に覆うことができる。
【００３２】
なお、本発明の排水管は、上記実施例の形態に限らず本発明の要旨を逸脱しない範囲内において種々変更を加えることができる。例えば、実施例の排水管１は、バルコニー内に溜まった雨水を壁外に排出するものであるが、本発明の排水管は、屋上に溜まった雨水を壁外に排出するものであってもよいし、その使用目的も、適宜変更することができる。また、上記実施例の排水管１は、水平に設置するものであるが、本発明の排水管は、傾けて設置して水勾配を設けるようにしてもよい。また、本発明にあって、管本体の流入口は内側網部材で覆われている必要はない。また、管本体には、必ずしもアンカーが設けられている必要はないし、設置場所によっては管本体に防水層押さえなどを配設してもよい。
【符号の説明】
【００３３】
１  排水管
２  管本体
３  アンカー
４  流入口
５  放出口
６  内側網部材
７  外側網部材
８，９  枠体
１０，１１  金網
１２，１３  開口部
１５  外周端縁
１６  鍔部
１７  内方延出部
１８  辺縁部
２０  隙間
Ａ  建物 
Ｂ  側壁
Ｃ  タイル
【図１】
0005701796.tif 000002
【図２】
0005701796.tif 000003
【図３】
0005701796.tif 000004
【図４】
0005701796.tif 000005
【図５】
0005701796.tif 000006
【図６】
0005701796.tif 000007